(57)【要約】【課題】サイズあるいは外形形状が互いに異なる複数の機種の携帯端末機器に対応可能な充電用卓上ホルダユニット構造を提供する。【解決手段】卓上ユニット１とホルダカバー２は、着脱可能となるように、互いに独立した部材として構成され、携帯端末機器への充電を行う際には、卓上ユニット１にホルダカバー２を覆い被せ、嵌合爪と嵌合用凹部で嵌合する。卓上ユニット１には携帯端末機器に設けられた充電端子と当接して充電電流を供給する給電端子１２と、電源コネクタと接続されて充電電流を給電端子１２に送電する充電コネクタが設けられ、ホルダカバー２の携帯端末機器保持部２３には、携帯端末機器を保持したときに、携帯端末機器の充電端子を給電端子１２と当接させるために、保持部２３内に給電端子１２を露出させる開口部２４が設けられている。【選択図】図１
2009212726.tif 000002
【特許請求の範囲】
【請求項１】
携帯端末機器本体に設けられた充電端子と当接するように配置された給電端子、および該給電端子を介して充電電流を前記携帯端末機器に供給する際にＡＣ（交流）アダプターと接続される充電コネクタを有する卓上ユニットと、該卓上ユニットに対して着脱可能に構成されて前記携帯端末機器本体を保持するホルダカバーとからなることを特徴とする携帯端末機器の充電用卓上ホルダユニット構造。
【請求項２】
前記ホルダカバーは、保持される携帯端末機器本体の形状に合わせた保持部と、前記卓上ユニットに装着された状態のとき、保持された前記携帯端末機器の充電端子と当接される前記卓上ユニットの給電端子を、前記保持部内に露出させる開口部を有していることを特徴とする請求項１に記載の携帯端末機器の充電用卓上ホルダユニット構造。
【請求項３】
前記卓上ユニットに、前記充電コネクタと前記給電端子の間の接続をＯＮまたはＯＦＦに切り替え制御するスイッチが設けられ、前記ホルダカバーに、該ホルダカバーが前記卓上ユニットに装着されたとき前記スイッチを押下して前記充電コネクタと前記給電端子の間の接続をＯＮに制御するスイッチ用リブが設けられていることを特徴とする請求項１または２に記載の携帯端末機器の充電用卓上ホルダユニット構造。
【請求項４】
前記卓上ユニットの前記スイッチが設けられている位置の周囲に、該スイッチの誤動作を防止するための誤動作防止リブが設けられていることを特徴とする請求項３に記載の携帯端末機器の充電用卓上ホルダユニット構造。
【請求項５】
前記ホルダカバーと前記卓上ユニットは、前記ホルダカバーに設けられた嵌合爪と前記卓上ユニットに設けられた嵌合用凹部とを嵌合、または嵌合解除することにより着脱自在に装着されることを特徴とする請求項１〜４のいずれか１項に記載の携帯端末機器の充電用卓上ホルダユニット構造。
【請求項６】
前記ホルダカバーは、前記携帯端末機器に応じて交換可能に構成されていることを特徴とする請求項１〜５のいずれか１項に記載の携帯端末機器の充電用卓上ホルダユニット構造。
【請求項７】
前記ホルダカバーは、前記携帯端末機器本体を縦方向に保持する縦置き型保持構造を有していることを特徴とする請求項１〜６のいずれか１項に記載の携帯端末機器の充電用卓上ホルダユニット構造。
【請求項８】
前記ホルダカバーは、前記携帯端末機器本体を横方向に保持する横置き型保持構造を有していることを特徴とする請求項１〜６のいずれか１項に記載の携帯端末機器の充電用卓上ホルダユニット構造。
【請求項９】
前記ホルダカバーは、前記携帯端末機器本体を上向きに保持する平置き型保持構造を有していることを特徴とする請求項１〜６のいずれか１項に記載の携帯端末機器の充電用卓上ホルダユニット構造。
【発明の詳細な説明】
【技術分野】
【０００１】
本発明は、携帯電話機等の携帯端末機器が備えている二次電池を充電する際に用いられる充電用卓上ホルダに関する。
【背景技術】
【０００２】
携帯電話機等の携帯端末機器に使用されている二次電池を充電する際に、充電用卓上ホルダが使用されている（特許文献１〜２参照）。
【０００３】
図１４〜図１５は、本発明に関連する、充電用卓上ホルダの断面を示す概略図であり、充電用卓上ホルダは、携帯端末機器３の充電端子が備えられている部分が挿入される凹部を有する上カバー１０２と下カバー１０１とが一体に構成されたホルダケースと、商用の交流電源を携帯端末機器用の直流電源に変換するＡＣ（交流）アダプターと接続するための充電コネクタ６と、このホルダケースに充電コネクタ６を介して入力された充電電流を携帯端末機器３の充電端子へ供給するために、前記凹部から露出して携帯端末機器３の充電端子と当接されるバネ性を有する給電端子１２によって構成されている。
【０００４】
図１４に示す充電用卓上ホルダの携帯端末機器３の充電端子部が挿入される凹部の形状は、この携帯端末機器３を保持するのに最適な形状となっているため、図１５に示すように幅や厚さや外形フォルム形状が異なる、例えばその端部断面が丸型の携帯端末機器５の充電用には使用することができない。そのため、この丸型携帯端末機器の充電を行うには、丸型携帯端末機器５の形状に合わせた専用の充電用卓上ホルダを用意する必要があった。
【０００５】
このような問題を解消する手段として、例えば特許文献１では、充電器の無線機収納部側壁に数箇所ガイド溝部を設け、このガイド溝部に着脱可能に設置できるスペーサを配置することにより、サイズの異なる数種類の無線機に対する充電に対応可能にしている。
【０００６】
また特許文献２では、携帯無線電話機が装着される保持凹部と、この保持凹部に設けられ、携帯無線電話機本体の充電端子へ充電電流を供給するための給電端子と、前記保持凹部に設けられて、形状の異なる２以上の携帯無線電話機をそれぞれ保持するための２組以上の前面リブおよび背面リブとを備えた充電保持台を用いることにより、１台の充電保持台で複数の機種の携帯無線電話機の充電が可能な汎用性を有する充電保持台を構成する技術が記載されている。
【０００７】
【特許文献１】特開２００４−０９５４８５号公報
【特許文献２】特開２００６−２６２１３２号公報
【発明の開示】
【発明が解決しようとする課題】
【０００８】
特許文献１〜２に記載の充電用卓上ホルダによれば、１台の充電保持台で複数の機種の携帯無線電話機の充電が可能となるが、特許文献１〜２に記載の充電用卓上ホルダの場合、これら複数の携帯無線電話機のサイズおよび外形形状はある程度類似していることが前提であって、サイズあるいは外形形状が互いに大きく異なる複数の機種の携帯無線電話機には対応できないという問題がある。
【０００９】
そのため、携帯電話機等の携帯端末機器を購入する際に付属品として添付されている充電用卓上ホルダは、その携帯端末機器専用の充電用卓上ホルダとしての形状を有していることが多く、機種変更の際には新たに充電用卓上ホルダが付属品として添付されてくるために、旧品は不要となって廃棄されるケースが多く、その分ユーザの負担となり、また資源を無駄に消費することにもなる。
【００１０】
本発明の目的は、上述した課題を解決することが可能な、携帯端末機器の充電用卓上ホルダユニット構造を提供することにある。
【課題を解決するための手段】
【００１１】
本発明の携帯端末機器の充電用卓上ホルダユニット構造は、携帯端末機器本体に設けられた充電端子と当接するように配置された給電端子、および該給電端子を介して充電電流を前記携帯端末機器に供給するためにＡＣ（交流）アダプターと接続される充電コネクタを有する卓上ユニットと、該卓上ユニットに対して着脱可能に構成されて前記携帯端末機器本体を保持するホルダカバーとからなることを特徴とする。
【発明の効果】
【００１２】
本発明では、携帯端末機器の形状に合わせたホルダカバーを選択して卓上ユニットに装着することにより、幅や厚さや外形フォルム形状が異なる携帯端末機器に対応させる構成としているので、卓上ユニットがあれば、ホルダカバーのみを交換するだけで、幅や厚さや外形フォルム形状が異なる携帯端末機器の充電に対応することが可能になる。
【００１３】
また、卓上ユニットは携帯端末機器の形状に関係なく共通使用することができるので、その分ユーザの負担が減り、また資源の無駄を減らすことができる。
【００１４】
また、卓上ユニットへのホルダカバーの装着は、嵌合固定手段を用いているので、ホルダカバーの交換は、卓上ホルダ所有者が自分で容易に行うことができる。
【発明を実施するための最良の形態】
【００１５】
図１〜図３は、本発明の実施形態を示す携帯端末機器の充電用卓上ホルダユニット構造の、分離斜視図、携帯端末機器を装着した状態斜視図、及び断面概略図である。
【００１６】
本実施形態の携帯端末機器の充電用卓上ホルダユニット構造は、携帯端末機器へ充電電流を供給する機能を有する卓上ユニット１と、充電される携帯端末機器を保持するホルダカバー２とからなる。この卓上ユニット１とホルダカバー２は、着脱可能となるように、互いに独立した部材として構成されており、携帯端末機器３への充電を行う際には、卓上ユニット１にホルダカバー２を覆い被せ、嵌合爪２１と嵌合用凹部１１で嵌合させて固定する。
【００１７】
卓上ユニット１の側面には、商用の交流電源を携帯端末機器用の直流電源に変換するＡＣ（交流）アダプターと接続するための充電コネクタ６が装着されている。卓上ユニット１の上面には携帯端末機器に設けられた充電端子と当接して充電電流を供給する給電端子１２が設けられており、また、ホルダカバー２の携帯端末機器保持部２３には、携帯端末機器３が保持されたときに、携帯端末機器３に設けられた充電端子が給電端子１２と当接するように、保持部２３内に給電端子１２を露出させるための開口部２４が設けられている。
【００１８】
したがって、卓上ユニット１にホルダカバー２を覆い被せ、嵌合爪２１と嵌合用凹部１１で嵌合させ固定した後、図２に示すように、携帯端末機器３をホルダカバー２の携帯端末機器保持部２３に挿入して保持させると、図３に示すように、携帯端末機器保持部２３内の開口部２４から露出された卓上ユニット１の給電端子１２が携帯端末機器３の充電端子と当接するので、卓上ユニット１の給電端子１２を介して携帯端末機器３の充電を行うことができる。
【００１９】
本実施形態では、充電する携帯端末機器を保持するホルダカバー２のみが、給電端子１２が設けられた卓上ユニット１から着脱可能となるように構成されており、またホルダカバー２は、合成樹脂等からなるプラスチック材料のみからなる成型品として実現可能であるので、ホルダカバー２自体は低コストで構成することが可能である。
【００２０】
また、異なるサイズあるいは形状の携帯端末機器に対する充電を行う場合には、卓上ユニット１からホルダカバー２を外し、異なるサイズあるいは形状の携帯端末機器用に形成されたホルダカバーを卓上ユニット１に覆い被せることにより対応可能であるので、給電端子および充電コネクタを備えている卓上ユニット１は、携帯端末機器のサイズあるいは形状に関係なく共通使用することができる。
【００２１】
図４は、本実施形態の充電用卓上ホルダユニット構造を異なる形状の携帯端末機器の充電用に適用した例を示す断面概略図である。
【００２２】
図２に示す携帯端末機器３の外形形状が、図４に示すような端部が丸型の携帯端末機器５へ変わった時に嵌合爪２１を解除してホルダカバー２を外して丸型ホルダカバー４に替え、丸型ホルダカバー４の嵌合爪４１を卓上ユニット１の嵌合用凹部１１に嵌合固定した後、丸型携帯端末機器５を丸型ホルダカバー４の携帯端末機器保持部に挿入して保持させると、卓上ユニット１から携帯端末機器保持部内に露出された給電端子１２と丸型携帯端末機器５の充電端子が当接するので、卓上ユニット１の給電端子１２を介して携帯端末機器５の充電が行われる。
【００２３】
これにより、例えば外形形状が異なる丸型携帯端末機器５でも、図４に示すようにホルダカバーを丸型ホルダカバー４に交換して卓上ユニット１に嵌合するだけで、丸型携帯端末機器５の充電を行うことが可能になる。
【００２４】
図５〜図１１は、本実施形態で用いられるホルダカバーの他の実施例を示す、断面概略図、斜視図、あるいは携帯端末機器を装着した状態図である。
【００２５】
図５では、ホルダカバーを、長型ホルダカバー７とすることにより充電コネクタ６を隠すように構成されている。また、図６では、ホルダカバーのデザインをドーム型にしたドーム型ホルダカバー８とした実施例を示している。このように、本実施形態では、ホルダカバーを卓上ユニット１とは別部材として構成することができるので、様々なデザインを適用することができる。
【００２６】
図７〜図９では、ホルダカバーを、携帯端末機器を平置き状態に保持して充電する平置き型ホルダカバー９とした実施例を示しており、図８に示すように、この平置き型ホルダカバー９に携帯端末機器本体３を平置きにした状態で充電可能な構成としている。
【００２７】
図１０〜図１１では、ホルダカバーを、携帯端末機器を横置き状態に保持して充電する横置き型ホルダカバーａとすることにより、図１０に示すように、この横置き型ホルダカバーａに携帯端末機器本体３を横置きにした状態で充電可能な構成としている。
【００２８】
図１０〜図１１に示す実施例では、例えば携帯機器用テレビ（ワンセグ）を見る時に、携帯端末機器３をこの横置き型ホルダカバーａに保持させた状態で視聴すれば、液晶表示部３１が横になるため、ユーザが携帯端末機器を手で支えることなくワンセグ視聴を行うことができ、かつ充電も行えるという効果も得られる。
【００２９】
図１２〜図１３は、本発明の他の実施形態を示す携帯端末機器の充電用卓上ホルダユニット構造の、分離斜視図、及び断面概略図である。
【００３０】
本実施形態では、卓上ユニット１に、コネクタ６と給電端子１２の間の接続をＯＮまたはＯＦＦに切り替え制御する安全スイッチ１３を設けるとともに、安全スイッチ１３が設けられている位置の周囲に、安全スイッチ１３よりも背の高い誤動作防止リブ１４を設ける。また図１３の概略断面図で示すように、ホルダカバー２には、ホルダカバー２を卓上ユニット１に嵌合した時に、安全スイッチ１３を押下して、コネクタ６と給電端子１２の間の接続をＯＮに制御するスイッチ用リブ２２が設けられている。
【００３１】
このように、卓上ユニット１にホルダカバー２が装着されたとき、卓上ユニット１内でコネクタ６と給電端子１２を、安全スイッチ１３を介して導通させ、卓上ユニット１にホルダカバー２が未装着の時には、コネクタ６と給電端子１２の間の電気的接続を切り離しているので、ホルダカバー未装着状態でＡＣアダプターに接続されている時の給電端子１２のショート等を防ぐことができ、製品の安全性をより高める事ができる。
【００３２】
また、安全スイッチ１３が設けられている位置の周囲に、安全スイッチ１３よりも背の高い誤動作防止リブ１４を設けることによって、卓上ユニット１が単品状態としてＡＣアダプターに接続されている場合であっても安全スイッチ１３の押下動作を行いにくくしているので、卓上ユニット１が単品状態のときに安全スイッチ１３の誤押下も防止することが可能である。
【図面の簡単な説明】
【００３３】
【図１】本発明の実施形態を示す携帯端末機器の充電用卓上ホルダユニット構造の分離斜視図である。
【図２】図１の充電用卓上ホルダユニット構造に携帯端末機器を装着した状態を示す斜視図である。
【図３】図１の充電用卓上ホルダユニット構造の断面概略図である。
【図４】本実施形態で用いられるホルダカバーの他の実施例を示す断面概略図である。
【図５】本実施形態で用いられるホルダカバーの他の実施例を示す断面概略図である。
【図６】本実施形態で用いられるホルダカバーの他の実施例を示す断面概略図である。
【図７】本実施形態で用いられるホルダカバーの他の実施例を示す斜視図である。
【図８】図７のホルダカバーに携帯端末機器を装着した状態を示す斜視図である。
【図９】図７に示すホルダカバーの断面概略図である。
【図１０】本実施形態で用いられるホルダカバーの他の実施例を示す携帯端末機器装着状態図である。
【図１１】図１０に示すホルダカバーの断面概略図である。
【図１２】本発明の他の実施形態を示す携帯端末機器の充電用卓上ホルダユニット構造の分離斜視図である。
【図１３】図１２の充電用卓上ホルダユニット構造の断面概略図である。
【図１４】本発明に関連する、充電用卓上ホルダの断面を示す概略図である。
【図１５】本発明に関連する、充電用卓上ホルダの断面を示す概略図である。
【符号の説明】
【００３４】
１  卓上ユニット
２  ホルダカバー
３  携帯端末機器
４  丸型ホルダカバー
５  丸型携帯端末機器
６  充電コネクタ
７  長型ホルダカバー
８  ドーム型ホルダカバー
９  平置き型ホルダカバー
１１  嵌合用凹部
１２  給電端子
２１，４１，７１，８２，９１，ａ１  嵌合爪
２２  スイッチ用リブ
２３  携帯端末機器保持部
２４，９４  開口部
３１  液晶表示部
ａ  横置き型ホルダカバー
１０１  下カバー
１０２  上カバー
【図１】
2009212726.tif 000003
【図２】
2009212726.tif 000004
【図３】
2009212726.tif 000005
【図４】
2009212726.tif 000006
【図５】
2009212726.tif 000007
【図６】
2009212726.tif 000008
【図７】
2009212726.tif 000009
【図８】
2009212726.tif 000010
【図９】
2009212726.tif 000011
【図１０】
2009212726.tif 000012
【図１１】
2009212726.tif 000013
【図１２】
2009212726.tif 000014
【図１３】
2009212726.tif 000015
【図１４】
2009212726.tif 000016
【図１５】
2009212726.tif 000017